【手続補正書】
【提出日】平成17年3月8日(2005.3.8)
【手続補正１】
【補正対象書類名】明細書
【補正対象項目名】発明の名称
【補正方法】変更
【補正の内容】
【発明の名称】画素回路、発光装置および電子機器
【手続補正２】
【補正対象書類名】明細書
【補正対象項目名】特許請求の範囲
【補正方法】変更
【補正の内容】
【特許請求の範囲】
【請求項１】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続されていることを特徴とする画素回路。
【請求項２】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続されていることを特徴とする画素回路。
【請求項３】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続されていることを特徴とする画素回路。
【請求項４】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続されていることを特徴とする画素回路。
【請求項５】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続されていることを特徴とする画素回路。
【請求項６】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第５のトランジスタのゲートは、第３のゲート信号線に接続されていることを特徴とする画素回路。
【請求項７】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第５のトランジスタのゲートは、第３のゲート信号線に接続されていることを特徴とする画素回路。
【請求項８】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第５のトランジスタのゲートは、第４のゲート信号線に接続されていることを特徴とする画素回路。
【請求項９】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第２のトランジスタは、前記第１のトランジスタのゲートに対する電圧の供給を制御することを特徴とする画素回路。
【請求項１０】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第２のトランジスタは、前記第１のトランジスタのゲートに対する電圧の供給を制御することを特徴とする画素回路。
【請求項１１】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第２のトランジスタは、前記第１のトランジスタのゲートに対する電圧の供給を制御することを特徴とする画素回路。
【請求項１２】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第２のトランジスタは、前記第１のトランジスタのゲートに対する電圧の供給を制御することを特徴とする画素回路。
【請求項１３】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第２のトランジスタは、前記第１のトランジスタのゲートに対する電圧の供給を制御することを特徴とする画素回路。
【請求項１４】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第５のトランジスタのゲートは、第３のゲート信号線に接続され、
前記第２のトランジスタは、前記第１のトランジスタのゲートに対する電圧の供給を制御することを特徴とする画素回路。
【請求項１５】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第５のトランジスタのゲートは、第３のゲート信号線に接続され、
前記第２のトランジスタは、前記第１のトランジスタのゲートに対する電圧の供給を制御することを特徴とする画素回路。
【請求項１６】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第５のトランジスタのゲートは、第４のゲート信号線に接続され、
前記第２のトランジスタは、前記第１のトランジスタのゲートに対する電圧の供給を制御することを特徴とする画素回路。
【請求項１７】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続されていることを特徴とする画素回路。
【請求項１８】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続されていることを特徴とする画素回路。
【請求項１９】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続されていることを特徴とする画素回路。
【請求項２０】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続されていることを特徴とする画素回路。
【請求項２１】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続されていることを特徴とする画素回路。
【請求項２２】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第５のトランジスタのゲートは、第３のゲート信号線に接続されていることを特徴とする画素回路。
【請求項２３】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第５のトランジスタのゲートは、第３のゲート信号線に接続されていることを特徴とする画素回路。
【請求項２４】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第５のトランジスタのゲートは、第４のゲート信号線に接続されていることを特徴とする画素回路。
【請求項２５】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第２のトランジスタは、前記第１のトランジスタのゲートに対する電圧の供給を制御することを特徴とする画素回路。
【請求項２６】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第２のトランジスタは、前記第１のトランジスタのゲートに対する電圧の供給を制御することを特徴とする画素回路。
【請求項２７】
第１のトランジスタ、第２のトランジスタ、第３のトランジスタ、第４のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第２のトランジスタは、前記第１のトランジスタのゲートに対する電圧の供給を制御することを特徴とする画素回路。
【請求項２８】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第２のトランジスタは、前記第１のトランジスタのゲートに対する電圧の供給を制御することを特徴とする画素回路。
【請求項２９】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第２のトランジスタは、前記第１のトランジスタのゲートに対する電圧の供給を制御することを特徴とする画素回路。
【請求項３０】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第５のトランジスタのゲートは、第３のゲート信号線に接続され、
前記第２のトランジスタは、前記第１のトランジスタのゲートに対する電圧の供給を制御することを特徴とする画素回路。
【請求項３１】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第５のトランジスタのゲートは、第３のゲート信号線に接続され、
前記第２のトランジスタは、前記第１のトランジスタのゲートに対する電圧の供給を制御することを特徴とする画素回路。
【請求項３２】
第１のトランジスタ、第２のトランジスタ、第３のトランジスタ、第４のトランジスタ、第５のトランジスタ及び容量素子が設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第５のトランジスタのゲートは、第４のゲート信号線に接続され、
前記第２のトランジスタは、前記第１のトランジスタのゲートに対する電圧の供給を制御することを特徴とする画素回路。
【請求項３３】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続されていることを特徴とする発光装置。
【請求項３４】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続されていることを特徴とする発光装置。
【請求項３５】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続されていることを特徴とする発光装置。
【請求項３６】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続されていることを特徴とする発光装置。
【請求項３７】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続されていることを特徴とする発光装置。
【請求項３８】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第５のトランジスタのゲートは、第３のゲート信号線に接続されていることを特徴とする発光装置。
【請求項３９】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第５のトランジスタのゲートは、第３のゲート信号線に接続されていることを特徴とする発光装置。
【請求項４０】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第５のトランジスタのゲートは、第４のゲート信号線に接続されていることを特徴とする発光装置。
【請求項４１】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第２のトランジスタは、前記第１のトランジスタのゲートに対する電圧の供給を制御することを特徴とする発光装置。
【請求項４２】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第２のトランジスタは、前記第１のトランジスタのゲートに対する電圧の供給を制御することを特徴とする発光装置。
【請求項４３】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第２のトランジスタは、前記第１のトランジスタのゲートに対する電圧の供給を制御することを特徴とする発光装置。
【請求項４４】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第２のトランジスタは、前記第１のトランジスタのゲートに対する電圧の供給を制御することを特徴とする発光装置。
【請求項４５】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第２のトランジスタは、前記第１のトランジスタのゲートに対する電圧の供給を制御することを特徴とする発光装置。
【請求項４６】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第５のトランジスタのゲートは、第３のゲート信号線に接続され、
前記第２のトランジスタは、前記第１のトランジスタのゲートに対する電圧の供給を制御することを特徴とする発光装置。
【請求項４７】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第５のトランジスタのゲートは、第３のゲート信号線に接続され、
前記第２のトランジスタは、前記第１のトランジスタのゲートに対する電圧の供給を制御することを特徴とする発光装置。
【請求項４８】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第５のトランジスタのゲートは、第４のゲート信号線に接続され、
前記第２のトランジスタは、前記第１のトランジスタのゲートに対する電圧の供給を制御することを特徴とする発光装置。
【請求項４９】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続されていることを特徴とする発光装置。
【請求項５０】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続されていることを特徴とする発光装置。
【請求項５１】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続されていることを特徴とする発光装置。
【請求項５２】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続されていることを特徴とする発光装置。
【請求項５３】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続されていることを特徴とする発光装置。
【請求項５４】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第５のトランジスタのゲートは、第３のゲート信号線に接続されていることを特徴とする発光装置。
【請求項５５】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第５のトランジスタのゲートは、第３のゲート信号線に接続されていることを特徴とする発光装置。
【請求項５６】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第５のトランジスタのゲートは、第４のゲート信号線に接続されていることを特徴とする発光装置。
【請求項５７】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第２のトランジスタは、前記第１のトランジスタのゲートに対する電圧の供給を制御することを特徴とする発光装置。
【請求項５８】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第２のトランジスタは、前記第１のトランジスタのゲートに対する電圧の供給を制御することを特徴とする発光装置。
【請求項５９】
第１のトランジスタ、第２のトランジスタ、第３のトランジスタ、第４のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第２のトランジスタは、前記第１のトランジスタのゲートに対する電圧の供給を制御することを特徴とする発光装置。
【請求項６０】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第２のトランジスタは、前記第１のトランジスタのゲートに対する電圧の供給を制御することを特徴とする発光装置。
【請求項６１】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第２のトランジスタは、前記第１のトランジスタのゲートに対する電圧の供給を制御することを特徴とする発光装置。
【請求項６２】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第５のトランジスタのゲートは、第３のゲート信号線に接続され、
前記第２のトランジスタは、前記第１のトランジスタのゲートに対する電圧の供給を制御することを特徴とする発光装置。
【請求項６３】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、前記第１のゲート信号線に接続され、
前記第５のトランジスタのゲートは、第３のゲート信号線に接続され、
前記第２のトランジスタは、前記第１のトランジスタのゲートに対する電圧の供給を制御することを特徴とする発光装置。
【請求項６４】
第１のトランジスタ、第２のトランジスタ、第３のトランジスタ、第４のトランジスタ、第５のトランジスタ、容量素子及び発光素子が画素に設けられ、
前記第１のトランジスタのゲートは、前記第２のトランジスタのソース又はドレインの一方と前記容量素子の第１の電極に接続され、
前記第１のトランジスタのソース又はドレインの一方は、前記第３のトランジスタのソース又はドレインの一方と前記第４のトランジスタのソース又はドレインの一方に接続され、
前記第１のトランジスタのソース又はドレインの他方は、前記発光素子と前記第２のトランジスタのソース又はドレインの他方に接続され、
前記第３のトランジスタのソース又はドレインの他方は、電流供給線に接続され、
前記第４のトランジスタのソース又はドレインの他方は、前記容量素子の第２の電極と前記第５のトランジスタのソース又はドレインの一方に接続され、
前記第５のトランジスタのソース又はドレインの他方は、ソース信号線に接続され、
前記第２のトランジスタのゲートは、第１のゲート信号線に接続され、
前記第３のトランジスタのゲートは、第２のゲート信号線に接続され、
前記第４のトランジスタのゲートは、第３のゲート信号線に接続され、
前記第５のトランジスタのゲートは、第４のゲート信号線に接続され、
前記第２のトランジスタは、前記第１のトランジスタのゲートに対する電圧の供給を制御することを特徴とする発光装置。
【請求項６５】
請求項１乃至請求項３２のいずれか一項において、
前記第１のトランジスタの導電型はＰチャネル型であることを特徴とする画素回路。
【請求項６６】
請求項１乃至請求項３２のいずれか一項において、
前記第１のトランジスタと前記第３のトランジスタの導電型は同じであることを特徴とする画素回路。
【請求項６７】
請求項１乃至請求項３２のいずれか一項において、
前記第２のトランジスタと前記第４のトランジスタの導電型は同じであることを特徴とする画素回路。
【請求項６８】
請求項１乃至請求項３２のいずれか一項において、
前記第１のトランジスタと前記第３のトランジスタの導電型はＰチャネル型であることを特徴とする画素回路。
【請求項６９】
請求項１乃至請求項３２のいずれか一項において、
前記第２のトランジスタと前記第４のトランジスタの導電型はＰチャネル型であることを特徴とする画素回路。
【請求項７０】
請求項１乃至請求項３２のいずれか一項において、
前記第１のトランジスタと前記第３のトランジスタの導電型はＮチャネル型であることを特徴とする画素回路。
【請求項７１】
請求項１乃至請求項３２のいずれか一項において、
前記第２のトランジスタと前記第４のトランジスタの導電型はＮチャネル型であることを特徴とする画素回路。
【請求項７２】
請求項１乃至請求項３２のいずれか一項において、
前記第１のトランジスタ、前記第２のトランジスタ、前記第３のトランジスタ及び前記第４のトランジスタの導電型は同じであることを特徴とする画素回路。
【請求項７３】
請求項４乃至請求項８、請求項１２乃至請求項１６、請求項２０乃至請求項２４又は請求項２８乃至請求項３２のいずれか一項において、
前記第１のトランジスタ、前記第２のトランジスタ、前記第３のトランジスタ、前記第４のトランジスタ及び第５のトランジスタの導電型は同じであることを特徴とする画素回路。
【請求項７４】
請求項１乃至請求項３２のいずれか一項において、
前記第１のトランジスタ、前記第２のトランジスタ、前記第３のトランジスタ及び前記第４のトランジスタの導電型はＰチャネル型であることを特徴とする画素回路。
【請求項７５】
請求項４乃至請求項８、請求項１２乃至請求項１６、請求項２０乃至請求項２４又は請求項２８乃至請求項３２のいずれか一項において、
前記第１のトランジスタ、前記第２のトランジスタ、前記第３のトランジスタ、前記第４のトランジスタ及び第５のトランジスタの導電型はＰチャネル型であることを特徴とする画素回路。
【請求項７６】
請求項１乃至請求項３２のいずれか一項において、
前記第１のトランジスタ、前記第２のトランジスタ、前記第３のトランジスタ及び前記第４のトランジスタは薄膜トランジスタであることを特徴とする画素回路。
【請求項７７】
請求項４乃至請求項８、請求項１２乃至請求項１６、請求項２０乃至請求項２４又は請求項２８乃至請求項３２のいずれか一項において、
前記第１のトランジスタ、前記第２のトランジスタ、前記第３のトランジスタ、前記第４のトランジスタ及び第５のトランジスタは薄膜トランジスタであることを特徴とする画素回路。
【請求項７８】
請求項１乃至請求項３２のいずれか一項において、
第２の容量素子を有し、
前記第２の容量素子のソース又はドレインの一方は、前記第４のトランジスタのソース又はドレインの他方と前記容量素子の第１の電極に接続されていることを特徴とする画素回路。
【請求項７９】
請求項１乃至請求項３２のいずれか一項において、
第２の容量素子を有し、
前記第２の容量素子のソース又はドレインの一方は、前記第４のトランジスタのソース又はドレインの他方と前記容量素子の第１の電極に接続され、
前記第２の容量素子のソース又はドレインの他方は、一定の電位に保たれていることを特徴とする画素回路。
【請求項８０】
請求項１乃至請求項３２のいずれか一項において、
第２の容量素子を有し、
前記第２の容量素子のソース又はドレインの一方は、前記第４のトランジスタのソース又はドレインの他方と前記容量素子の第１の電極に接続され、
前記第２の容量素子のソース又はドレインの他方は、前記電流供給線に接続されていることを特徴とする画素回路。
【請求項８１】
請求項３３乃至請求項６４のいずれか一項において、
前記第１のトランジスタの導電型はＰチャネル型であることを特徴とする発光装置。
【請求項８２】
請求項３３乃至請求項６４のいずれか一項において、
前記第１のトランジスタと前記第３のトランジスタの導電型は同じであることを特徴とする発光装置。
【請求項８３】
請求項３３乃至請求項６４のいずれか一項において、
前記第２のトランジスタと前記第４のトランジスタの導電型は同じであることを特徴とする発光装置。
【請求項８４】
請求項３３乃至請求項６４のいずれか一項において、
前記第１のトランジスタと前記第３のトランジスタの導電型はＰチャネル型であることを特徴とする発光装置。
【請求項８５】
請求項３３乃至請求項６４のいずれか一項において、
前記第２のトランジスタと前記第４のトランジスタの導電型はＰチャネル型であることを特徴とする発光装置。
【請求項８６】
請求項３３乃至請求項６４のいずれか一項において、
前記第１のトランジスタと前記第３のトランジスタの導電型はＮチャネル型であることを特徴とする発光装置。
【請求項８７】
請求項３３乃至請求項６４のいずれか一項において、
前記第２のトランジスタと前記第４のトランジスタの導電型はＮチャネル型であることを特徴とする発光装置。
【請求項８８】
請求項３３乃至請求項６４のいずれか一項において、
前記第１のトランジスタ、前記第２のトランジスタ、前記第３のトランジスタ及び前記第４のトランジスタの導電型は同じであることを特徴とする発光装置。
【請求項８９】
請求項３６乃至請求項４０、請求項４３乃至請求項４８、請求項５２乃至請求項５６又は請求項５９乃至請求項６４のいずれか一項において、
前記第１のトランジスタ、前記第２のトランジスタ、前記第３のトランジスタ、前記第４のトランジスタ及び第５のトランジスタの導電型は同じであることを特徴とする発光装置。
【請求項９０】
請求項３３乃至請求項６４のいずれか一項において、
前記第１のトランジスタ、前記第２のトランジスタ、前記第３のトランジスタ及び前記第４のトランジスタの導電型はＰチャネル型であることを特徴とする発光装置。
【請求項９１】
請求項３６乃至請求項４０、請求項４３乃至請求項４８、請求項５２乃至請求項５６又は請求項５９乃至請求項６４のいずれか一項において、
前記第１のトランジスタ、前記第２のトランジスタ、前記第３のトランジスタ、前記第４のトランジスタ及び第５のトランジスタの導電型はＰチャネル型であることを特徴とする発光装置。
【請求項９２】
請求項３３乃至請求項６４のいずれか一項において、
前記第１のトランジスタ、前記第２のトランジスタ、前記第３のトランジスタ及び前記第４のトランジスタは薄膜トランジスタであることを特徴とする発光装置。
【請求項９３】
請求項３６乃至請求項４０、請求項４３乃至請求項４８、請求項５２乃至請求項５６又は請求項５９乃至請求項６４のいずれか一項において、
前記第１のトランジスタ、前記第２のトランジスタ、前記第３のトランジスタ、前記第４のトランジスタ及び第５のトランジスタは薄膜トランジスタであることを特徴とする発光装置。
【請求項９４】
請求項３３乃至請求項６４のいずれか一項において、
第２の容量素子を有し、
前記第２の容量素子のソース又はドレインの一方は、前記第４のトランジスタのソース又はドレインの他方と前記容量素子の第１の電極に接続されていることを特徴とする発光装置。
【請求項９５】
請求項３３乃至請求項６４のいずれか一項において、
第２の容量素子を有し、
前記第２の容量素子のソース又はドレインの一方は、前記第４のトランジスタのソース又はドレインの他方と前記容量素子の第１の電極に接続され、
前記第２の容量素子のソース又はドレインの他方は、一定の電位に保たれていることを特徴とする発光装置。
【請求項９６】
請求項３３乃至請求項６４のいずれか一項において、
第２の容量素子を有し、
前記第２の容量素子のソース又はドレインの一方は、前記第４のトランジスタのソース又はドレインの他方と前記容量素子の第１の電極に接続され、
前記第２の容量素子のソース又はドレインの他方は、前記電流供給線に接続されていることを特徴とする発光装置。
【請求項９７】
請求項３３乃至請求項６４のいずれか一項において、
駆動回路を有し、
前記画素と前記駆動回路は、同じ基板上に設けられていることを特徴とする発光装置。
【請求項９８】
請求項３３乃至請求項６４のいずれか一項において、
駆動回路を有し、
前記画素と前記駆動回路は、同じ基板上に設けられ、
前記駆動回路は、ゲート信号線駆動回路を有することを特徴とする発光装置。
【請求項９９】
請求項３３乃至請求項６４のいずれか一項において、
駆動回路を有し、
前記画素と前記駆動回路は、同じ基板上に設けられ、
前記駆動回路は、ソース信号線駆動回路を有することを特徴とする発光装置。
【請求項１００】
請求項３６乃至請求項４０、請求項４４乃至請求項４８、請求項５２乃至請求項５６又は請求項６０乃至請求項６４のいずれか一項において、
駆動回路を有し、
前記画素と前記駆動回路は、同じ基板上に設けられ、
前記駆動回路は、ソース信号線駆動回路を有し、
前記ソース信号線駆動回路は、映像信号を前記ソース信号線に供給するためのスイッチを有することを特徴とする発光装置。
【請求項１０１】
請求項３３乃至請求項６４又は請求項８５乃至請求項１０４のいずれか一項において、
前記発光素子は、EL素子であることを特徴とする発光装置。
【請求項１０２】
請求項１乃至請求項３２又は請求項６５乃至請求項８０のいずれか一項に記載の前記画素回路を用いた電子機器。
【請求項１０３】
請求項３３乃至請求項６４又は請求項８１乃至請求項１０１のいずれか一項に記載の前記発光装置を用いた電子機器。
【手続補正３】
【補正対象書類名】明細書
【補正対象項目名】００７４
【補正方法】変更
【補正の内容】
【００７４】
【発明の実施の形態】
図１（Ａ）に、本発明の一実施形態を示す。ソース信号線１０１、第１〜第４のゲート信号線１０２〜１０５、第１〜第５のＴＦＴ１０６〜１１０、第１および第２の容量手段１１１、１１５、ＥＬ素子１１２、電流供給線１１３、電源線１１４を有する。
【手続補正４】
【補正対象書類名】明細書
【補正対象項目名】００７５
【補正方法】変更
【補正の内容】
【００７５】
第１のＴＦＴ１０６のゲート電極は、第１のゲート信号線１０２に接続され、第１の電極は、ソース信号線１０１に接続され、第２の電極は、第２のＴＦＴ１０７の第１の電極に接続されている。第２のＴＦＴ１０７のゲート電極は、第２のゲート信号線１０３に接続され、第２の電極は、電流供給線１１３に接続されている。第１の容量手段１１１の第１の電極は、第２のＴＦＴ１０７の第１の電極に接続され、第２の電極は、第３のＴＦＴ１０８の第１の電極に接続されている。第３のＴＦＴ１０８のゲート電極は、第３のゲート信号線１０４に接続され、第２の電極は、第４のＴＦＴ１０９の第１の電極に接続されている。第４のＴＦＴ１０９のゲート電極は、第４のゲート信号線１０５に接続され、第２の電極は、ＥＬ素子１１２の第１の電極に接続されている。第５のＴＦＴ１１０のゲート電極は、第３のＴＦＴ１０８の第１の電極、および第１の容量手段１１１の第２の電極に接続され、第１の電極は、第３のＴＦＴ１０８の第２の電極、および第４のＴＦＴ１０９の第１の電極に接続され、第２の電極は、電流供給線１１３に接続されている。第２の容量手段１１５は、第１のＴＦＴ１０６の第２の電極と、電流供給線１１３との間に配置され、ソース信号線１０１より入力される映像信号の電位を保持する。第２の容量手段１１５に関しては、特に設けなくとも動作は可能である。ＥＬ素子１１２の第２の電極には、電源線１１４によって一定電位が与えられ、電流供給線１１３とは互いに電位差を有する。
【手続補正５】
【補正対象書類名】明細書
【補正対象項目名】０１０９
【補正方法】変更
【補正の内容】
【０１０９】
第２のラッチ回路１００３に保持されたデジタル映像信号がＤ／Ａ変換回路１００４に入力されている間、シフトレジスタ１００１においては再びサンプリングパルスが出力される。以後、この動作を繰り返し、１フレーム分の映像信号の処理を行う。
【手続補正６】
【補正対象書類名】明細書
【補正対象項目名】０１３７
【補正方法】変更
【補正の内容】
【０１３７】
ここで、新たに追加したＴＦＴ１８１７は、発光時にＥＬ素子１８１２に電流を供給するためのＴＦＴ１８１０と、互いのゲート電極が接続されている。図１９（Ａ）、（Ｂ）に示すように、電荷の移動するパスが実施形態よりも多く、またＴＦＴ１８１７は、ＥＬ素子１８１２に電流を供給する役目を持たないため、ゲート長Ｌを小さく、チャネル幅Ｗを大きくとって良い。従って、ゲート容量が小さいために電荷の移動がスムーズに行われ、容量手段に保持されている電圧がＶthに収束するまでの時間をより短くすることが出来る。
【手続補正７】
【補正対象書類名】明細書
【補正対象項目名】０１７２
【補正方法】変更
【補正の内容】
【０１７２】
上記の第２のドーピング処理を行った結果、第１の導電層と重なる第３の不純物領域（Ｎ−領域、Ｌｏｖ領域）５０２６には１×１０18〜５×１０19ａｔｏｍｓ／ｃｍ3の濃度範囲でＮ型を付与する不純物元素を添加された。また第２の不純物領域（Ｎ＋領域）５０２５、５０２８には１×１０19〜５×１０21ａｔｏｍｓ／ｃｍ3の濃度範囲でＮ型を付与する不純物元素を添加された。また、第１、第２のドーピング処理を行った後、半導体層５００２〜５００５において、不純物元素が全く添加されない領域又は微量の不純物元素が添加された領域が形成された。本実施例では、不純物元素が全く添加されない領域又は微量の不純物元素が添加された領域をチャネル領域５０２７、５０３０とよぶ。また前記第１のドーピング処理により形成された第１の不純物領域（Ｎ−−領域）５０２０〜５０２３のうち、第２のドーピング処理においてレジスト５０２４で覆われていた領域が存在するが、本実施例では、引き続き第１の不純物領域（Ｎ−−領域、ＬＤＤ領域）５０２９とよぶ。
【手続補正８】
【補正対象書類名】明細書
【補正対象項目名】０１７３
【補正方法】変更
【補正の内容】
【０１７３】
なお本実施例では、第２のドーピング処理のみにより、第３の不純物領域（Ｎ−領域）５０２６及び第２の不純物領域（Ｎ＋領域）５０２５、５０２８を形成したが、これに限定されない。ドーピング処理を行う条件を適宜変えて、複数回のドーピング処理で形成しても良い。
【手続補正９】
【補正対象書類名】明細書
【補正対象項目名】０１８８
【補正方法】変更
【補正の内容】
【０１８８】
次いで、ドライエッチングまたはウエットエッチングを用い、第２の層間絶縁膜５０３７、第１の層間絶縁膜５０３６、およびゲート絶縁膜５００６をエッチングし、第２の不純物領域５０２５、５０２８、第４の不純物領域５０３２、５０３４に達するコンタクトホールを形成する。
【手続補正１０】
【補正対象書類名】明細書
【補正対象項目名】０１９３
【補正方法】変更
【補正の内容】
【０１９３】
こうして、画素部のＮチャネル型ＴＦＴのソース領域またはドレイン領域の一方は、配線５０４２によってソース信号線（５０１９ａと５０１９ｂの積層）と電気的に接続され、もう一方は、配線５０４３によって画素部のＰチャネル型ＴＦＴのゲート電極と電気的に接続される。また、画素部のＰチャネル型ＴＦＴのソース領域またはドレイン領域の一方は、配線５０４４によって画素電極５０３８と電気的に接続されている。ここで、画素電極５０３８上の一部と、配線５０４４の一部を重ねて形成することによって、配線５０４４と画素電極５０３８の電気的接続をとっている。
【手続補正１１】
【補正対象書類名】明細書
【補正対象項目名】０１９５
【補正方法】変更
【補正の内容】
【０１９５】
駆動回路部のＮチャネル型ＴＦＴは、ゲート電極の一部を構成する第１の導電層５０１５ａと重なる低濃度不純物領域５０２６（Ｌｏｖ領域）、ソース領域またはドレイン領域として機能する高濃度不純物領域５０２５とを有している。このＮチャネル型ＴＦＴと配線５０４０で接続されＣＭＯＳ回路を形成するＰチャネル型ＴＦＴは、ゲート電極の一部を構成する第１の導電層５０１６ａと重なる低濃度不純物領域５０３３（Ｌｏｖ領域）、ソース領域またはドレイン領域として機能する高濃度不純物領域５０３２とを有している。
【手続補正１２】
【補正対象書類名】明細書
【補正対象項目名】０２００
【補正方法】変更
【補正の内容】
【０２００】
第３の層間絶縁膜５０４６の画素電極５０３８に対応する位置に開口部を形成する。第３の層間絶縁膜は、バンクとして機能する。開口部を形成する際、ウエットエッチング法を用いることで容易にテーパー形状の側壁とすることが出来る。開口部の側壁が十分になだらかでないと段差に起因するＥＬ層の劣化が顕著な問題となってしまうため、注意が必要である。
【手続補正１３】
【補正対象書類名】明細書
【補正対象項目名】０２１１
【補正方法】変更
【補正の内容】
【０２１１】
次に、ＥＬ層５０４７の上には導電膜からなる対向電極５０４８が設けられる。本実施例の場合、導電膜としてアルミニウムとリチウムとの合金膜を用いる。勿論、公知のＭｇＡｇ膜（マグネシウムと銀との合金膜）を用いても良い。対向電極５０４８がＥＬ素子の陰極に相当する。陰極材料としては、周期表の１族もしくは２族に属する元素からなる導電膜もしくはそれらの元素を添加した導電膜を自由に用いることができる。
【手続補正１４】
【補正対象書類名】明細書
【補正対象項目名】０２１２
【補正方法】変更
【補正の内容】
【０２１２】
対向電極５０４８まで形成された時点でＥＬ素子が完成する。なお、ＥＬ素子とは、画素電極（陽極）５０３８、ＥＬ層５０４７及び対向電極（陰極）５０４８で形成された素子を指す。
【手続補正１５】
【補正対象書類名】明細書
【補正対象項目名】０２６６
【補正方法】変更
【補正の内容】
【０２６６】
ＴＦＴ４２０１及び４２０２上には層間絶縁膜（平坦化膜）４３０１ａが形成され、その上にＴＦＴ４２０２のドレインと電気的に接続する画素電極（陽極）４２０３が形成される。画素電極４２０３としては仕事関数の大きい透明導電膜が用いられる。透明導電膜としては、酸化インジウムと酸化スズとの化合物、酸化インジウムと酸化亜鉛との化合物、酸化亜鉛、酸化スズまたは酸化インジウムを用いることができる。また、前記透明導電膜にガリウムを添加したものを用いても良い。
【手続補正１６】
【補正対象書類名】明細書
【補正対象項目名】０２７０
【補正方法】変更
【補正の内容】
【０２７０】
以上のようにして、画素電極（陽極）４２０３、有機発光層４２０４及び陰極４２０５からなる発光素子４３０３が形成される。そして発光素子４３０３を覆うように、絶縁膜４３０２上に保護膜４２０９が形成されている。保護膜４２０９は、発光素子４３０３に酸素や水分等が入り込むのを防ぐのに効果的である。
【手続補正１７】
【補正対象書類名】明細書
【補正対象項目名】０２７１
【補正方法】変更
【補正の内容】
【０２７１】
４００５ａは電源線に接続された引き回し配線であり、ＴＦＴ４２０２の第１の電極に接続されている。引き回し配線４００５ａはシール材４００９と基板４００１との間を通り、異方導電性フィルム４３００を介してＦＰＣ４００６が有するＦＰＣ用配線４３０１ｂに電気的に接続される。
【手続補正１８】
【補正対象書類名】明細書
【補正対象項目名】０２７４
【補正方法】変更
【補正の内容】
【０２７４】
また、充填材４２１０としては窒素やアルゴンなどの不活性な気体の他に、紫外線硬化樹脂または熱硬化樹脂を用いることができ、ＰＶＣ（ポリビニルクロライド）、アクリル、ポリイミド、エポキシ樹脂、シリコン樹脂、ＰＶＢ（ポリビニルブチラル）またはＥＶＡ（エチレンビニルアセテート）を用いることができる。本実施例では充填材として窒素を用いた。
【手続補正１９】
【補正対象書類名】明細書
【補正対象項目名】０２７５
【補正方法】変更
【補正の内容】
【０２７５】
また充填材４２１０を吸湿性物質（好ましくは酸化バリウム）もしくは酸素を吸着しうる物質にさらしておくために、シーリング材４００８の基板４００１側の面に凹部４００７を設けて吸湿性物質または酸素を吸着しうる物質４２０７を配置する。そして、吸湿性物質または酸素を吸着しうる物質４２０７が飛び散らないように、凹部カバー材４２０８によって吸湿性物質または酸素を吸着しうる物質４２０７は凹部４００７に保持されている。なお凹部カバー材４２０８は目の細かいメッシュ状になっており、空気や水分は通し、吸湿性物質または酸素を吸着しうる物質４２０７は通さない構成になっている。吸湿性物質または酸素を吸着しうる物質４２０７を設けることで、発光素子４３０３の劣化を抑制できる。
【手続補正２０】
【補正対象書類名】明細書
【補正対象項目名】０２７７
【補正方法】変更
【補正の内容】
【０２７７】
また、異方導電性フィルム４３００は導電性フィラー４３００ａを有している。基板４００１とＦＰＣ４００６とを熱圧着することで、基板４００１上の導電性膜４２０３ａとＦＰＣ４００６上のＦＰＣ用配線４３０１ｂとが、導電性フィラー４３００ａによって電気的に接続される。
【手続補正２１】
【補正対象書類名】明細書
【補正対象項目名】０３０９
【補正方法】変更
【補正の内容】
【０３０９】
また、ＴＦＴ３２１１は、ＥＬ素子３２１５への電流供給を任意のタイミングで遮断するための消去用ＴＦＴとしても用いることが出来る。
【手続補正２２】
【補正対象書類名】明細書
【補正対象項目名】０３１２
【補正方法】変更
【補正の内容】
【０３１２】
図１７（Ａ）は発光素子表示装置であり、筐体３００１、支持台３００２、表示部３００３、スピーカー部３００４、ビデオ入力端子３００５等を含む。本発明の発光装置は表示部３００３に用いることができる。発光装置は自発光型であるためバックライトが必要なく、液晶ディスプレイよりも薄い表示部とすることができる。なお、発光素子表示装置は、パーソナルコンピュータ用、ＴＶ放送受信用、広告表示用などの全ての情報表示用表示装置が含まれる。
【手続補正２３】
【補正対象書類名】明細書
【補正対象項目名】０３１５
【補正方法】変更
【補正の内容】
【０３１５】
図１７（Ｄ）はモバイルコンピュータであり、本体３３０１、表示部３３０２、スイッチ３３０３、操作キー３３０４、赤外線ポート３３０５等を含む。本発明の発光装置は表示部３３０２に用いることができる。
【手続補正２４】
【補正対象書類名】明細書
【補正対象項目名】０３２４
【補正方法】変更
【補正の内容】
【０３２４】
従来例と比べても、より簡単な動作原理に基づいており、さらに素子数等が大きく増加することがないため、開口率等が低くなる心配もなく、大変効果的といえる。
【図面の簡単な説明】
【図１】    本発明の発光装置における画素構成の一形態を示す回路図と画素の動作について示す図。
【図２】    図１に示した画素の駆動について説明する図。
【図３】    一般的に用いられる発光装置の画素の構成例を示す回路図。
【図４】    デジタル映像信号を用いて時間階調方式によって駆動する場合の画素の構成を示す回路図。
【図５】    しきい値ばらつきの補正が可能な画素の構成を示す回路図と画素の動作について示す図。
【図６】    図５に示した画素の駆動について説明する図。
【図７】    本発明の一実施例であるアナログ映像信号入力方式の発光装置の構成例を示す図。
【図８】    図７に示した発光装置におけるソース信号線駆動回路およびゲート信号線駆動回路の構成例を示す図。
【図９】    本発明の一実施例であるデジタル映像信号入力方式の発光装置の構成例を示す図。
【図１０】    図９に示した発光装置におけるソース信号線駆動回路の構成例を示す図。
【図１１】    図８と異なる構成のゲート信号線駆動回路の構成例を示す図。
【図１２】    図１１に示したゲート信号線駆動回路のパルス出力タイミングを説明する図。
【図１３】    発光装置の製造工程例を示す図。
【図１４】    発光装置の製造工程例を示す図。
【図１５】    発光装置の製造工程例を示す図。
【図１６】    発光装置の外観図および断面図。
【図１７】    本発明が適用可能な電子機器の例を示す図。
【図１８】    本発明の発光装置における画素構成の一実施例を示す回路図と画素の動作について示す図。
【図１９】    図１８に示した画素の駆動について説明する図。
【図２０】    本発明の発光装置における画素構成の一実施例を示す回路図および動作について示す図。
【図２１】    本発明の発光装置における画素構成の一実施例を示す回路図および動作について示す図。
【図２２】    本発明の発光装置における画素構成の一実施例を示す回路図および動作について示す図。
【図２３】    図２２に示した画素構成のバリエーションについて示す回路図。
【図２４】    本発明の画素を有する発光装置を、デジタル時間階調方式によって駆動する場合の、ゲート信号線におけるタイミングチャートを示す図。
【図２５】    図２４のタイミングチャートに従ってゲート信号線にパルスを出力するためのゲート信号線駆動回路の構成を示す図。
【図２６】    本発明の動作原理を説明する図。
【図２７】    本発明のしきい値補正原理を用いて電流源回路を構成する例を示す図。
【図２８】    本発明のしきい値補正原理を用いて電流源回路を構成する例を示す図。
【図２９】    本発明のしきい値補正原理を用いて電流源回路を構成する例を示す図。
【図３０】    本発明のしきい値補正原理を用いて電流源回路を構成する例を示す図。
【図３１】    本発明のしきい値補正原理を用いて電流源回路を構成する例を示す図。
【図３２】    本発明の発光装置における画素構成の一実施例を示す回路図および動作について示す図。
【手続補正２５】
【補正対象書類名】図面
【補正対象項目名】図１１
【補正方法】変更
【補正の内容】
【図１１】
2003223138.tif 000001
【手続補正２６】
【補正対象書類名】図面
【補正対象項目名】図１４
【補正方法】変更
【補正の内容】
【図１４】
2003223138.tif 000002
【手続補正２７】
【補正対象書類名】図面
【補正対象項目名】図１６
【補正方法】変更
【補正の内容】
【図１６】
2003223138.tif 000003